(57)【特許請求の範囲】
【請求項１】
ベースに垂直走査信号が供給される第１のｎｐｎトランジスタ、この第１のｎｐｎトランジスタのエミッタにエミッタが接続され、ベースに基準電圧が供給される第２のｎｐｎトランジスタ、および、前記第１，第２のｎｐｎトランジスタの各エミッタに共通に接続されたバイアス回路を有し、前記垂直走査信号を前記基準電圧によりスライスして負帰還回路の正側入力端に供給するスライス回路と、
前記負帰還回路の出力を、その負側入力端にフィードバックするための負帰還用トランジスタと、
第３，第４のｐｎｐトランジスタおよび第５，第６のｎｐｎトランジスタをカレントミラー接続してなり、前記第１のｎｐｎトランジスタのコレクタ電流を折り返すことによって前記負帰還用トランジスタのバイアス電流を生成する生成回路と
を具備したことを特徴とする波形整形回路。
【請求項２】
前記垂直走査信号は、テレビジョン受像機における垂直方向への電子ビームの走査を行うための基準垂直走査用ノコギリ波信号であることを特徴とする請求項１に記載の波形整形回路。
【請求項３】
前記負帰還用トランジスタは、第７のｎｐｎトランジスタによるエミッタフォロアであって、前記第７のｎｐｎトランジスタのベースには、前記負帰還回路の出力が、テレビジョン受像機の垂直出力段および偏向ヨークを介して供給されることを特徴とする請求項１に記載の波形整形回路。
【請求項４】
エミッタどうしが共通に接続された第１および第２のトランジスタと、
前記第１および第２のトランジスタの各エミッタに共通に接続された電流源と、
前記第２のトランジスタのベースに接続された電圧源と、
前記第１のトランジスタのコレクタに、コレクタとベースとが接続された第３のトランジスタと、
前記第１のトランジスタのコレクタおよび前記第３のトランジスタのベースに、ベースが接続された第４のトランジスタと、
前記第４のトランジスタのコレクタに、コレクタとベースとが接続された第５のトランジスタと、
前記第４のトランジスタのコレクタおよび前記第５のトランジスタのベースに、ベースが接続された第６のトランジスタと、
前記第６のトランジスタのコレクタに、エミッタが接続された第７のトランジスタと
を具備し、
前記第１および第２のトランジスタの各エミッタには、負帰還回路の正側の入力端が共通に接続され、
前記負帰還回路の負側の入力端には、前記第７のトランジスタのエミッタが接続され、
前記第７のトランジスタのベースには、前記負帰還回路の出力が、テレビジョン受像機の垂直出力段および偏向ヨークを介して供給されるように構成したことを特徴とする波形整形回路。
【請求項５】
前記第１のトランジスタのベースには、垂直走査信号としての、テレビジョン受像機における垂直方向への電子ビームの走査を行うための基準垂直走査用ノコギリ波信号が供給されることを特徴とする請求項４に記載の波形整形回路。
【請求項６】
前記第３〜第６のトランジスタによってカレントミラー回路が構成されてなることを特徴とする請求項４に記載の波形整形回路。
【請求項７】
前記カレントミラー回路は、前記第１のトランジスタのコレクタ電流を折り返すことによって、前記第７のトランジスタのバイアス電流を生成することを特徴とする請求項６に記載の波形整形回路。
【発明の詳細な説明】
【０００１】
【発明の属する技術分野】
本発明は、垂直走査信号の波形整形回路に関するもので、特に、テレビジョン受像機における垂直偏向システムにおいて、垂直走査振幅拡大時（画面ズーム時）に、基準垂直走査用ノコギリ波信号を波形整形（スライス）する波形整形回路に関するものである。
【０００２】
【従来の技術】
従来、テレビジョン受像機の垂直偏向システムにおいては、画面ズーム時の垂直出力段（電力供給部）での消費電力ロスを低減するために、垂直方向への電子ビームの走査を行うための基準垂直走査用ノコギリ波信号を波形整形回路によりスライスするように構成されている。
【０００３】
図１０は、従来のテレビジョン受像機における垂直偏向システムの構成例を示すものである。この垂直偏向システムは、図示していないノコギリ波発生器からの基準垂直走査用ノコギリ波信号Ｖｉｎをスライスする波形整形回路１、この波形整形回路１の出力が供給される帰還型オペアンプ（Ａ）２、この帰還型オペアンプ２の出力が供給される、テレビジョン受像機の垂直出力段としての垂直出力用ＩＣ３、この垂直出力用ＩＣ３の出力が供給される、直流電源（基準電位）Ｖに接続された偏向コイルＤＹおよび検出抵抗Ｒを有して構成されている。
【０００４】
波形整形回路１は、エミッタとコレクタとがともに共通に結合されたトランジスタＱ１，Ｑ２と、その共通エミッタに接続されたバイアス回路Ｉ０と、トランジスタＱ２のベースに接続された直流電源（スライス電圧）Ｖｓとからなる比較回路により構成されている。
【０００５】
なお、トランジスタＱ１のベースには、上記基準垂直走査用ノコギリ波信号Ｖｉｎが供給されるようになっている。
【０００６】
また、トランジスタＱ１，Ｑ２は、その共通エミッタが帰還型オペアンプ２の正側入力端に接続されている。この帰還型オペアンプ２の負側入力端には、上記検出抵抗Ｒの検出出力（電圧）が供給されるようになっている。
【０００７】
ここで、上記した構成における波形整形回路１の動作について説明する。
【０００８】
まず、トランジスタＱ１のベースに入力された基準垂直走査用ノコギリ波信号Ｖｉｎと、トランジスタＱ２のベースに印加されるスライス電圧Ｖｓとの比較が行われる。
【０００９】
この場合、トランジスタＱ１のベースには、図１１（ａ）に示すような、ランプ波形などの時間的に電圧が変化する基準垂直走査用ノコギリ波信号Ｖｉｎが、また、トランジスタＱ２のベースには、図１１（ｂ）に示すような、所定のスライス電圧Ｖｓが印加されるものとする。
【００１０】
このような条件において、トランジスタＱ１，Ｑ２の共通エミッタに出力される信号（正側入力波形）Ｖａについて考える。
【００１１】
（１）たとえば、基準垂直走査用ノコギリ波信号Ｖｉｎの電圧が、スライス電圧Ｖｓよりも十分に高いとき、下記の数１の各式が成り立つ。
【００１２】
【数１】
0003863354.tif 000002
【００１３】
これより、共通エミッタに出力される信号Ｖａとして、基準垂直走査用ノコギリ波信号Ｖｉｎが、トランジスタＱ１のベース−エミッタ間電圧ＶＢＥの分だけ低くなって出力される。
【００１４】
（２）たとえば、基準垂直走査用ノコギリ波信号Ｖｉｎの電圧が、スライス電圧Ｖｓよりも十分に低いとき、下記の数２の各式が成り立つ。
【００１５】
【数２】
0003863354.tif 000003
【００１６】
これより、共通エミッタに出力される信号Ｖａとして、スライス電圧Ｖｓが、トランジスタＱ２のベース−エミッタ間電圧ＶＢＥの分だけ低くなって出力される。
【００１７】
（３）たとえば、トランジスタＱ１，Ｑ２のベース電位差が小さいとき（小信号領域）、下記の数３，数４，数５が成り立つ。なお、式中のＶＴはトランジスタＱ１，Ｑ２の熱電圧を示す。
【００１８】
【数３】
0003863354.tif 000004
【００１９】
【数４】
0003863354.tif 000005
【００２０】
【数５】
0003863354.tif 000006
【００２１】
トランジスタＱ１，Ｑ２の各飽和電流をＩＳ１＝ＩＳ２、および、トランジスタＱ１，Ｑ２のベース電位差を（Ｖｉｎ−Ｖｓ）＝Ｖｄとすると、上記数３〜数５より、次の数６が成立する。
【００２２】
【数６】
0003863354.tif 000007
【００２３】
ゆえに、トランジスタＱ１，Ｑ２の各コレクタ電流ＩＣ１，ＩＣ２は、それぞれ次の数７，数８となる。
【００２４】
【数７】
0003863354.tif 000008
【００２５】
【数８】
0003863354.tif 000009
【００２６】
したがって、それぞれのコレクタ電流ＩＣ１，ＩＣ２は、図１２に示すように、ベース電位差Ｖｄの関数として表すことができる。
【００２７】
図１２に示すように、小信号領域（Ｖｄ＝０付近）では、トランジスタＱ１，Ｑ２はともに能動領域で動作する。そのため、共通エミッタより出力される電圧も能動的な変化となる。よって、共通エミッタより出力される信号Ｖａは、図１１（ｃ）に示すように、比較する電圧（スライス電圧Ｖｓ）付近に緩やかなカーブを持った‘なまり’のあるスライス波形となる。
【００２８】
共通エミッタより出力される信号Ｖａは、帰還型オペアンプ２の正側入力端に供給される。また、帰還型オペアンプ２の負側入力端には、その出力信号Ｖｏｕｔが帰還される。この帰還型オペアンプ２では、正側の入力と負側の入力とが一致するようにフィードバックがかかる。
【００２９】
上記したように、共通エミッタより出力される信号Ｖａは、大信号領域（Ｖｉｎ≫ＶｓおよびＶｉｎ≪Ｖｓ）では、トランジスタＱ１，Ｑ２の各ベースに印加される電圧のうち、電位の高い方（Ｖｉｎ−ＶＢＥまたはＶｓ−ＶＢＥ）が出力される。これに対し、小信号領域では、トランジスタＱ１，Ｑ２はそれぞれが能動領域での動作となるため、‘なまり’を持った波形となっている。
【００３０】
しかしながら、波形整形した信号に‘なまり’があると、効果的な消費電力ロスの低減を図ることができないという欠点があった。
【００３１】
すなわち、画面ズーム時に電力ロスとなるノコギリ波の不用な部分をスライスするようにした場合において、スライスした付近の波形に‘なまり’があると、その部分が電力ロスとなるために、電力ロスを効果的に低減することができなかった。
【００３２】
【発明が解決しようとする課題】
上記したように、従来においては、ノコギリ波を波形整形することによって画面ズーム時の電力ロスを低減できるものの、スライスした信号に‘なまり’があると、効果的な消費電力ロスの低減を図ることができないという欠点があった。
【００３３】
そこで、この発明は、‘なまり’のない波形整形を実現でき、垂直走査振幅拡大時の消費電力ロスを効果的に低減することが可能な波形整形回路を提供することを目的としている。
【００３４】
【課題を解決するための手段】
本願発明の一態様によれば、ベースに垂直走査信号が供給される第１のｎｐｎトランジスタ、この第１のｎｐｎトランジスタのエミッタにエミッタが接続され、ベースに基準電圧が供給される第２のｎｐｎトランジスタ、および、前記第１，第２のｎｐｎトランジスタの各エミッタに共通に接続されたバイアス回路を有し、前記垂直走査信号を前記基準電圧によりスライスして負帰還回路の正側入力端に供給するスライス回路と、前記負帰還回路の出力を、その負側入力端にフィードバックするための負帰還用トランジスタと、第３，第４のｐｎｐトランジスタおよび第５，第６のｎｐｎトランジスタをカレントミラー接続してなり、前記第１のｎｐｎトランジスタのコレクタ電流を折り返すことによって前記負帰還用トランジスタのバイアス電流を生成する生成回路とを具備したことを特徴とする波形整形回路が提供される。
【００３５】
また、本願発明の一態様によれば、エミッタどうしが共通に接続された第１および第２のトランジスタと、前記第１および第２のトランジスタの各エミッタに共通に接続された電流源と、前記第２のトランジスタのベースに接続された電圧源と、前記第１のトランジスタのコレクタに、コレクタとベースとが接続された第３のトランジスタと、前記第１のトランジスタのコレクタおよび前記第３のトランジスタのベースに、ベースが接続された第４のトランジスタと、前記第４のトランジスタのコレクタに、コレクタとベースとが接続された第５のトランジスタと、前記第４のトランジスタのコレクタおよび前記第５のトランジスタのベースに、ベースが接続された第６のトランジスタと、前記第６のトランジスタのコレクタに、エミッタが接続された第７のトランジスタとを具備し、前記第１および第２のトランジスタの各エミッタには、負帰還回路の正側の入力端が共通に接続され、前記負帰還回路の負側の入力端には、前記第７のトランジスタのエミッタが接続され、前記第７のトランジスタのベースには、前記負帰還回路の出力が、テレビジョン受像機の垂直出力段および偏向ヨークを介して供給されるように構成したことを特徴とする波形整形回路が提供される。
【００３６】
上記の構成によって、画面表示枠とほぼ同じ位置でノコギリ波をスライスできるようになる。これにより、テレビジョン受像機の垂直出力段に対して、電力ロスの少ないノコギリ波を供給することが可能となるものである。
【００３７】
【発明の実施の形態】
以下、この発明の実施の形態について図面を参照して説明する。
【００３８】
図１は、本発明の一実施形態にかかる、テレビジョン受像機における垂直偏向システムの構成例を示すものである。
【００３９】
図１において、波形整形回路１１には、垂直走査用ノコギリ波発生器（図示していない）が接続されている。また、波形整形回路１１は、帰還型オペアンプ（負帰還回路）１２に接続されている。帰還型オペアンプ１２の出力端は、テレビジョン受像機の垂直出力段としての垂直出力用ＩＣ１３に接続されている。垂直出力用ＩＣ１３と波形整形回路１１との間には、偏向コイル（偏向ヨーク）ＤＹが接続されている。そして、偏向コイルＤＹと波形整形回路１１との接続点は、検出抵抗Ｒを介して、直流電源（基準電位）Ｖに接続されている。
【００４０】
この垂直偏向システムでは、波形整形回路１１の出力が供給される帰還型オペアンプ１２の、正側の入力と負側の入力とが一致するように、垂直出力用ＩＣ１３をドライブするようになっている。
【００４１】
波形整形回路１１は、以下のような構成とされている。
【００４２】
すなわち、第１のトランジスタ（ｎｐｎトランジスタ）Ｑ１のベースには垂直走査用ノコギリ波発生器が接続されて、基準垂直走査用ノコギリ波信号（垂直走査信号）Ｖｉｎが供給されるようになっている。この第１のトランジスタＱ１のエミッタには、第２のトランジスタ（ｎｐｎトランジスタ）Ｑ２のエミッタが共通に接続されている。第２のトランジスタＱ２のベースには、基準電圧（スライス電圧）を発生するための電圧源としての直流電源Ｖｓが接続されている。
【００４３】
第１および第２のトランジスタＱ１，Ｑ２の共通エミッタには、バイアス回路（電流源）Ｉａが接続されている。また、第１および第２のトランジスタＱ１，Ｑ２の共通エミッタは、上記帰還型オペアンプ１２の正側入力端に接続されている。
【００４４】
この場合、上記第１および第２のトランジスタＱ１，Ｑ２、上記直流電源Ｖｓ、および、上記バイアス回路Ｉａによって、上記帰還型オペアンプ１２の正側入力波形Ｖａを得るためのスライス回路が構成されている。
【００４５】
第１のトランジスタＱ１のコレクタには、第３のトランジスタ（ｐｎｐトランジスタ）Ｑ３のコレクタとベースとが接続されている。第３のトランジスタＱ３のベースには、第４のトランジスタ（ｐｎｐトランジスタ）Ｑ４のベースが接続されている。
【００４６】
第４のトランジスタＱ４のコレクタには、第５のトランジスタ（ｎｐｎトランジスタ）Ｑ５のコレクタとベースとが接続されている。第５のトランジスタＱ５のベースには、第６のトランジスタ（ｎｐｎトランジスタ）Ｑ６のベースが接続されている。第６のトランジスタＱ６のエミッタとコレクタとの間には、バイアス回路Ｉｂが接続されている。
【００４７】
第６のトランジスタＱ６のコレクタには、負帰還用トランジスタとしての第７のトランジスタ（ｎｐｎトランジスタ）Ｑ７のエミッタが接続されている。第７のトランジスタＱ７は、ベースが上記偏向コイルＤＹに接続されるとともに、エミッタが上記帰還型オペアンプ１２の負側入力端に接続されて、帰還ループが形成されている。これにより、帰還型オペアンプ１２の負側入力端には、当該オペアンプ１２の出力Ｖｏｕｔが、第７のトランジスタＱ７によるエミッタフォロアを介して帰還される。
【００４８】
この場合、上記第３〜第６のトランジスタＱ３〜Ｑ６によって、上記第１のトランジスタＱ１のコレクタ電流Ｉ１を折り返して、上記第７のトランジスタＱ７のバイアス電流Ｉ２を生成するための生成回路（カレントミラー回路）が構成されている。
【００４９】
なお、上記第２のトランジスタＱ２のコレクタ、上記第３のトランジスタＱ３のエミッタ、上記第４のトランジスタＱ４のエミッタ、および、上記第７のトランジスタＱ７のコレクタは、共通に接続されている。また、上記第５，第６のトランジスタＱ５，Ｑ６の各エミッタは、共通に接続されている。
【００５０】
ここで、上記した構成における波形整形回路１１の動作について考える。
【００５１】
図２に示すように、第１のトランジスタＱ１のベースには、ランプ波形などの時間的に電圧が変化する基準垂直走査用ノコギリ波信号Ｖｉｎ（同図（ａ）参照）が、また、第２のトランジスタＱ２のベースには、所定のスライス電圧Ｖｓ（同図（ｂ）参照）が印加されるものとする。
【００５２】
この場合、第１，第２のトランジスタＱ１，Ｑ２の共通エミッタより出力される信号（帰還型オペアンプ１２の正側入力波形）Ｖａは、同図（ｃ）に示すように、従来の波形整形回路の場合（図１１参照）と同様となる。
【００５３】
すなわち、共通エミッタに出力される信号Ｖａは、基準垂直走査用ノコギリ波信号Ｖｉｎの電圧がスライス電圧Ｖｓよりも十分に高い場合には、基準垂直走査用ノコギリ波信号Ｖｉｎよりも、第１のトランジスタＱ１のベース−エミッタ間電圧ＶＢＥの分だけ低くなる。逆に、基準垂直走査用ノコギリ波信号Ｖｉｎの電圧がスライス電圧Ｖｓよりも十分に低い場合には、スライス電圧Ｖｓよりも、第２のトランジスタＱ２のベース−エミッタ間電圧ＶＢＥの分だけ低くなる。また、第１，第２のトランジスタＱ１，Ｑ２のベース電位差が小さいときは、スライスする電圧付近に‘なまり’のあるスライス波形となる。
【００５４】
この信号Ｖａは、帰還型オペアンプ１２の正側入力端に供給される。一方、帰還型オペアンプ２の負側入力端には、その出力信号Ｖｏｕｔが、第７のトランジスタＱ７によるエミッタフォロアを介して帰還される。そして、この帰還型オペアンプ１２では、正側の入力と負側の入力とが一致するようにフィードバックがかけられる。よって、第７のトランジスタＱ７のエミッタ波形（帰還型オペアンプ１２の負側の入力信号Ｖｂ）は、図３に示すように、帰還型オペアンプ１２の正側の入力信号（共通エミッタに出力される信号Ｖａ）と同様となる。
【００５５】
ところで、第７のトランジスタＱ７のバイアス電流Ｉ２には、第１のトランジスタＱ１のコレクタ電流Ｉ１を、第３〜第６のトランジスタＱ３〜Ｑ６で構成されるカレントミラー回路にて折り返した電流が用いられる。そのため、第７のトランジスタＱ７の特性は、第１のトランジスタＱ１と同様な特性となっている。つまり、小信号領域に相当する部分では、第７のトランジスタＱ７は線形動作と同様の特性となっている。したがって、第７のトランジスタＱ７のエミッタ波形（Ｖｂ）が、図３に示したような‘なまり’を持った波形になるようにするためには、第７のトランジスタＱ７の入力信号（ベース波形）ＶＢは、図４に示すような‘なまり’のない波形となる。これにより、本構成の波形整形回路１１によれば、‘なまり’のない波形整形を行うことが可能となる。
【００５６】
次に、図５を参照して、上記した構成の、テレビジョン受像機における垂直偏向システムの動作について説明する。
【００５７】
垂直走査用ノコギリ波発生器からは、同図（ａ）に示すようなノコギリ波信号Ｖｉｎが発生されて、波形整形回路１１に供給される。波形整形回路１１の出力（信号Ｖａ）は、帰還型オペアンプ１２の正側入力端に供給される。
【００５８】
ここで、波形整形回路１１による波形整形を行わなかった場合、帰還型オペアンプ１２の正側入力端に供給される信号Ｖａの波形は、同図（ｂ）に示す如くとなる。また、帰還型オペアンプ１２の出力Ｖｏｕｔは、同図（ｃ）に示す如くとなる。これにより、偏向コイルＤＹに流れる電流ＩＤＹは、同図（ｄ）に示す如くとなる。
【００５９】
図６は、偏向コイルＤＹに流れる電流ＩＤＹにより、テレビジョン受像機の垂直走査を行った際の、垂直走査振幅が通常時の、ノコギリ波（同図（ａ））とテレビ画面（同図（ｂ））との関係を示すものである。この場合、ノコギリ波の振幅が、テレビ画面にほぼ一致されている。
【００６０】
図７は、画面ズーム時（垂直走査振幅拡大時）の、ノコギリ波（同図（ａ））とテレビ画面（同図（ｂ））との関係を示すものである。この場合、垂直出力用ＩＣ１３によって偏向コイルＤＹに流れる電流ＩＤＹが増幅され、ノコギリ波の振幅がテレビ画面よりも大きくなる。
【００６１】
つまり、この場合のノコギリ波の図示斜線部分が不用部分となり、電力ロスとなる。
【００６２】
図８は、画面ズーム時の電力ロスを低減するために、従来の波形整形回路（図１０参照）により、ノコギリ波の不用部分の波形整形を行うようにした場合の、ノコギリ波（同図（ａ））とテレビ画面（同図（ｂ））との関係を示すものである。この場合、先に説明した通り、波形整形後のノコギリ波は、スライスした付近に‘なまり’を持った波形となる。
【００６３】
テレビ画面上を走査するノコギリ波はリニアな部分しか使用できない。このため、なまった部分がテレビ画面の表示枠から十分に外れるように、表示枠よりも外側をスライスしなければならなかった。その結果、不用部分（図示斜線部分）が多く存在し、電力ロスを効果的に低減することができなかった。
【００６４】
図９は、本発明の波形整形回路１１により、ノコギリ波の不用部分の波形整形を行うようにした場合の、ノコギリ波（同図（ａ））とテレビ画面（同図（ｂ））との関係を示すものである。この場合、‘なまり’のない波形整形を行うことができ、電力ロスとなる不用な部分のないノコギリ波による画面表示が可能となる。
【００６５】
上述したように、本発明の波形整形回路１１を用いれば、波形整形後のノコギリ波は、スライスした付近の波形に‘なまり’を持たない。そのため、テレビ画面の表示枠とほぼ同じ位置でノコギリ波信号Ｖｉｎをスライスできるようになる。よって、垂直出力用ＩＣ１３に対して、電力ロスの少ないノコギリ波（出力Ｖｏｕｔ）を供給することが可能となるものである。
【００６６】
なお、本願発明は、上記実施形態に限定されるものではなく、実施段階ではその要旨を逸脱しない範囲で種々に変形することが可能である。さらに、上記実施形態には種々の段階の発明が含まれており、開示される複数の構成要件における適宜な組み合わせにより種々の発明が抽出され得る。たとえば、実施形態に示される全構成要件からいくつかの構成要件が削除されても、発明が解決しようとする課題の欄で述べた課題が解決でき、発明の効果の欄で述べられている効果が得られる場合には、その構成要件が削除された構成が発明として抽出され得る。
【００６７】
【発明の効果】
以上、詳述したようにこの発明によれば、‘なまり’のない波形整形を実現でき、垂直走査振幅拡大時の消費電力ロスを効果的に低減することが可能な波形整形回路を提供できる。
【図面の簡単な説明】
【図１】この発明の一実施形態にかかる、テレビジョン受像機における垂直偏向システムの概略構成を示す回路図。
【図２】同じく、垂直偏向システムにおける波形整形回路の動作を説明するために示す概略波形図。
【図３】同じく、波形整形回路における第７のトランジスタのエミッタ波形を示す概略波形図。
【図４】同じく、波形整形回路における第７のトランジスタのベース波形を示す概略波形図。
【図５】同じく、テレビジョン受像機における垂直偏向システムの動作について説明するために、波形整形を行わなかった場合を例に示す概略波形図。
【図６】同じく、垂直走査振幅通常時における、ノコギリ波とテレビ画面との関係を示す概略図。
【図７】同じく、垂直走査振幅拡大時における、波形整形を行わなかった場合のノコギリ波とテレビ画面との関係を示す概略図。
【図８】従来の、垂直走査振幅拡大時における、ノコギリ波とテレビ画面との関係を示す概略図。
【図９】本発明にかかる、垂直走査振幅拡大時における、ノコギリ波とテレビ画面との関係を示す概略図。
【図１０】従来技術とその問題点を説明するために示す、テレビジョン受像機における垂直偏向システムの構成例を示す回路図。
【図１１】同じく、垂直偏向システムにおける波形整形回路の動作を説明するために示す概略波形図。
【図１２】同じく、波形整形回路における第１，第２のトランジスタの動作領域を説明するために示す概略図。
【符号の説明】
１１…波形整形回路
１２…帰還型オペアンプ
１３…垂直出力用ＩＣ
ＤＹ…偏向コイル
Ｒ…検出抵抗
Ｖ…直流電源
Ｑ１…第１のトランジスタ
Ｑ２…第２のトランジスタ
Ｑ３…第３のトランジスタ
Ｑ４…第４のトランジスタ
Ｑ５…第５のトランジスタ
Ｑ６…第６のトランジスタ
Ｑ７…第７のトランジスタ
Ｉａ，Ｉｂ…バイアス回路
Ｖｓ…直流電源
Ｖｉｎ…基準垂直走査用ノコギリ波信号
Ｖａ…帰還型オペアンプの正側入力波形
Ｖｂ…帰還型オペアンプの負側入力波形
Ｖｏｕｔ…帰還型オペアンプの出力
Ｉ１…第１のトランジスタのコレクタ電流
Ｉ２…第７のトランジスタのバイアス電流
ＶＢ…第７のトランジスタのベース波形
ＩＤＹ…偏向コイルに流れる電流
【図１】
0003863354.tif 000010
【図２】
0003863354.tif 000011
【図３】
0003863354.tif 000012
【図４】
0003863354.tif 000013
【図５】
0003863354.tif 000014
【図６】
0003863354.tif 000015
【図７】
0003863354.tif 000016
【図８】
0003863354.tif 000017
【図９】
0003863354.tif 000018
【図１０】
0003863354.tif 000019
【図１１】
0003863354.tif 000020
【図１２】
0003863354.tif 000021